(57)【要約】【課題】蛇口等からホース等を介して別途、洗浄水等を供給する必要が無く、車体の継ぎ目、ワイパー等の車体の細かな凹凸部分、ホイール、タイヤ、フロントグリル等の車体の奥に入り込んだ窪みの部分に付着した油分、塵埃、煤煙、土砂等の汚れにたいしても、迅速、かつ的確に除去でき、清掃時の操作が簡易で高い洗浄効果を発揮できる洗車用清掃具を提供する。【解決手段】清掃具は袋状体及びアタッチメントを有し、袋状体は指を入れる為の複数の指部を有する通水可能な概手袋状にて形成されてあると共に指部に起毛ブラシが巻きつけて形成されてあり、アタッチメントは概手袋状に形成されてあると共に袋状体の内部に着脱可能に装着されてあり通水穴を有するカバー、カバーの内部に形成されてあり防水性を有する基部、及びカバーに連通して洗浄水等を供給するホース状体を有し、ホース状体より供給された洗浄水等が通水穴を通して袋状体から被洗浄面に供給する。【選択図】      図１
2008149874.tif 000002
【特許請求の範囲】
【請求項１】
自動車等の車両を洗浄する為の清掃具において、前記清掃具は、袋状体及びアタッチメントを有し、前記袋状体は指を入れる為の複数の指部を有する通水可能な概手袋状にて形成されてあると共に前記指部に起毛ブラシが巻きつけて形成されてあり、前記アタッチメントは概手袋状に形成されてあると共に前記袋状体の内部に着脱可能に装着されてあり、通水穴を有するカバー、前記カバーの内部に形成されてあり防水性を有する基部、及び前記カバーに連通して洗浄水等を供給するホース状体を有し、前記ホース状体より供給された前記洗浄水等が前記通水穴を通して前記袋状体から被洗浄面に供給されることを特徴とする清掃具。
【請求項２】
前記袋状体の手の平側に合成樹脂発泡体及び起毛ブラシが形成されてあることを特徴とする請求項１に記載の清掃具。
【請求項３】
前記合成樹脂発泡体の形成範囲内に前記起毛ブラシが形成されてあることを特徴とする請求項２に記載の清掃具。
【発明の詳細な説明】
【技術分野】
【０００１】
本発明は、自動車、車両等の洗車用の清掃具に関するものである。
【背景技術】
【０００２】
従来の清掃具においては、洗浄効果を高める為に様々な発明がなされている。例えば、手袋を防水性素材と成すと共に、手袋の指部の手掌側にこれと略同幅に形成した洗浄部材を設けたことを特徴とする清掃具がある（特許文献１）。また、水の不透過性材料でなる外層手袋部分２と内層手袋部分３との二層手袋構造で構成し、手の甲側の外層手袋部分２に、水道ホース６と連結可能な連結手段７を設け、その連結構造体５、７、８に流量調整弁機能９、１０を持たせ、前記外層手袋部分２の手のひら部分と指部分に複数の水流出穴１１を形成し、ホースを介して水道水を前記外層手袋部分２と内層手袋部分３との間に流入させ、複数の水流出穴１１から水を噴出させて洗車をし得るカーウオッシャー手袋の水噴出装置がある（特許文献２）。
【０００３】
【特許文献１】特開平７−３２７９０１号公報
【特許文献２】特開平１０−３２９６６１号公報
【発明の開示】
【発明が解決しようとする課題】
【０００４】
上記従来の特許文献１に記載された技術では清掃する為に使用する洗浄水等の供給装置が無い為、蛇口等からホース等を介して別途、洗浄水等を供給する必要があり、清掃時の操作が煩雑となる。また、洗浄部材は平板状の部材を指部に挟みつけるように形成されてある為、使用時に洗浄部材が指部から容易に剥がれやすく、洗浄部材の指部からの剥がれを防止する為の接着力を確保する製造は困難であった。また、洗浄部材は平板状の部材を指部に挟みつけるように形成されてある為、指の曲げ伸ばしが困難な形状に形成されてあり、清掃時の操作が煩雑となる。また、特許文献２に記載された技術では、洗浄水等の供給手段、及び布や皮、繊維などの材料が手のひら部分と指部分に一体的に取り付けられてあるが、例えば車体の継ぎ目の隙間部分、又はホイールのスポーク部側面、裏面等のスポーク間に形成される扇状の隙間部分、又はホイールのメッシュ部の格子状の隙間部分、又はフロントグリルの格子状の隙間部分を清掃する為には、手の平側の指部にて隙間部分に沿わせて指を回転させる必要があり、清掃時の操作が煩雑となり、手に負担がかかる。また、ホイールのナット部の周りに形成されている凹部分、又はホイールとタイヤの合わせ目の隙間に形成されている凹部分を清掃する為には、手の平側の指部にて凹部分の片側づつに指を沿わせて反転させる必要が有り、清掃時の操作が煩雑となり、手に負担がかかる。また、ワイパーの細かな凹凸部分、又はタイヤの接地面に形成されている溝部の凹凸部分、又はエンブレム等の細かな凹凸部分を清掃する為には、手の平側の指部にて凹凸部分の奥に入り込む必要が有り、奥の角部は清掃が困難であった。
【０００５】
本発明は上記点に鑑み、蛇口等からホース等を介して別途、洗浄水等を供給する必要が無く、車体の継ぎ目、ワイパー、ホイール、タイヤ、フロントグリル、エンブレム等の車体の細かな凹凸部分、あるいは車体の奥に入り込んだ窪みの部分に付着した油分、塵埃、煤煙、土砂等の汚れにたいしても、迅速、かつ的確に除去する事ができ、清掃時の操作が簡易で、高い洗浄効果を発揮できる洗車用清掃具を提供することを目的とする。
【課題を解決するための手段】
【０００６】
請求項１の発明は、自動車等の車両を洗浄する為の清掃具において、前記清掃具は、袋状体及びアタッチメントを有し、前記袋状体は指を入れる為の複数の指部を有する通水可能な概手袋状にて形成されてあると共に前記指部に起毛ブラシが巻きつけて形成されてあり、前記アタッチメントは概手袋状に形成されてあると共に前記袋状体の内部に着脱可能に装着されてあり、通水穴を有するカバー、前記カバーの内部に形成されてあり防水性を有する基部、及び前記カバーに連通して洗浄水等を供給するホース状体を有し、前記ホース状体より供給された前記洗浄水等が前記通水穴を通して前記袋状体から被洗浄面に供給されることに特徴を有する。したがって、洗浄時には、指部を車体の継ぎ目、ワイパー、ホイール、タイヤ、フロントグリル、エンブレム等の車体の細かな凹凸部分、あるいは車体の奥に入り込んだ窪みの部分にたいして、差し込むようにして当接させる事により、指部に巻きつけて形成されてある起毛ブラシが、付着した油分、塵埃、煤煙、土砂等の汚れを掻き出すようにして除去する。また、指部に起毛ブラシが巻きつけて形成されてある為、前記起毛ブラシは指部から剥れにくく、高品質となった。また、指部に起毛ブラシが巻きつけて形成されてある為、清掃時の指の曲げ伸ばし等の操作が容易になる。起毛ブラシを巻きつける形態については、螺旋状に連続的あるいは断続的に巻きつける形態、概リング状に巻きつける形態等が採用できる。また、同時に洗浄水等が、清掃具を構成するアタッチメントに形成された通水穴を通して袋状体から被洗浄面に供給される為、清掃具を装着した片手のみにて、洗浄水等は被洗浄面に供給されると共に、汚れが、迅速、かつ的確に除去される。
【０００７】
請求項２の発明は、請求項１の清掃具の発明において、前記袋状体の手の平側に合成樹脂発泡体及び起毛ブラシが形成されてあることに特徴を有する。したがって、清掃具に装着した後、手の平を被洗浄面に押し付けるようにして当接させる事により、合成樹脂発泡体及び起毛ブラシが被洗浄面に押し付けられる。この時、合成樹脂発泡体は被洗浄面を傷つける事無く、汚れは拭くようにして除去され、起毛ブラシは付着力の強い汚れにたいしても掻き出すようにして汚れを除去する。また、清掃具に装着した後、手の平を被洗浄面に軽く押し付けるようにして当接させる事により、合成樹脂発泡体が被洗浄面に押し付けられ、被洗浄面を傷つける事無く、汚れは拭くようにして除去される。また、手の平を被洗浄面に強く押し付けるようにして当接させる事により、合成樹脂発泡体及び起毛ブラシが被洗浄面に押し付けられ、汚れの付着力が強い場合においても、汚れは掻き出すようにして除去される。
【０００８】
請求項３の発明は、請求項１又は２の清掃具の発明において、前記合成樹脂発泡体の形成範囲内に前記起毛ブラシが形成されてあることに特徴を有する。したがって、合成樹脂発泡体の形成範囲内に形成された起毛ブラシが汚れを掻き出すと共に、掻き出された汚れは合成樹脂発泡体により、拭くようにして被洗浄面から除去される。また、起毛ブラシが筋状に形成されてある形態を採用した場合においては、起毛ブラシを筋状にたいして略平行な方向に押し付けて被洗浄面に当接させた場合には、起毛ブラシを筋状にたいして略直交の方向に押し付けて被洗浄面に当接させた場合に比べて、起毛ブラシは毛腰がより強く押し付けられ、付着力の強い汚れは容易に掻き出されて被洗浄面から除去される。また、清掃具を前後、左右に移動させて当接させた場合においても、起毛ブラシが移動方向にたいして斜め方向に筋状に形成されている場合には、被洗浄面は清掃残りが発生する事が無く、均一な被洗浄面が形成される。
【発明の効果】
【０００９】
請求項１の発明では、指部に起毛ブラシが巻きつけて形成されてある為、車体の継ぎ目の隙間部分、又はホイールのスポーク部側面、裏面等のスポーク間に形成される扇状の隙間部分、又はホイールのメッシュ部の格子状の隙間部分、又はフロントグリルの格子状の隙間部分を清掃する為には、手の平側の指部にて隙間部分に沿わせて指を回転させる必要が無く、奥に入り込んだ窪みの部分にたいして、差し込むようにして当接させる事により、指の外周部に形成された前記起毛ブラシによって、隙間の側面、裏面に付着した油分、塵埃、煤煙、土砂等の汚れを掻き出すようにして除去する事ができる。また、指部に起毛ブラシが巻きつけて形成されてある為、ホイールのナット部の周りに形成されている凹部分、又はホイールとタイヤの合わせ目の隙間に形成されている凹部分を清掃する為には、手の平側の指部にて凹部分の片側づつに指を沿わせて反転させる必要が無く、奥に入り込んだ窪みの部分にたいして、差し込むようにして当接させる事により、指の外周部に形成された前記起毛ブラシによって、凹部分に付着した油分、塵埃、煤煙、土砂等の汚れを掻き出すようにして除去する事ができる。また、指部に起毛ブラシが巻きつけて形成されてある為、ワイパーの細かな凹凸部分、又はタイヤの接地面に形成されている溝部の凹凸部分、又はエンブレム等の細かな凹凸部分を清掃する為には、手の平側の指部にて凹凸部分の奥に入り込む事が可能なので、奥の角部を容易に清掃する事ができる。また、指部に起毛ブラシが巻きつけて形成されてある為、前記起毛ブラシは指部から剥れにくく、高品質となった。また、指部に起毛ブラシが巻きつけて形成されてある為、清掃時の指の曲げ伸ばし等の操作が容易にできる。また、同時に、洗浄水等が、清掃具を構成するアタッチメントに形成された通水穴を通して袋状体から被洗浄面に供給される為、清掃具を装着した片手のみにて、洗浄水等を被洗浄面に供給する事ができると共に、汚れを、迅速、かつ的確に除去する事ができる。
【００１０】
請求項２の発明では、清掃具に装着した後、手の平を被洗浄面に押し付けるようにして当接させる事により、合成樹脂発泡体及び起毛ブラシを被洗浄面に押し付ける事ができる。また、合成樹脂発泡体は被洗浄面を傷つける事無く、汚れを拭くようにして除去する事ができ、起毛ブラシは付着力の強い汚れにたいしても掻き出すようにして除去する事ができる。また、清掃具に装着した後、手の平を被洗浄面に軽く押し付けるようにして当接させる事により、合成樹脂発泡体を被洗浄面に押し付ける事ができると共に、被洗浄面を傷つける事が無く、汚れを拭くようにして除去する事ができる。また、手の平を被洗浄面に強く押し付けるようにして当接させる事により、合成樹脂発泡体及び起毛ブラシを被洗浄面に押し付ける事ができ、汚れの付着力が強い場合においても、汚れを掻き出すようにして除去する事ができる。
【００１１】
請求項３の発明では、合成樹脂発泡体の形成範囲内に形成された起毛ブラシが汚れを掻き出すと共に、掻き出された汚れを合成樹脂発泡体により拭くようにして被洗浄面から除去することができる。また、起毛ブラシが筋状に形成されてある形態を採用した場合においては、起毛ブラシを筋状と略平行な方向に押し付けて被洗浄面に当接させた場合には、起毛ブラシを筋状と略直交の方向に押し付けて被洗浄面に当接させた場合に比べて、起毛ブラシは毛腰をより強く押し付ける事ができ、付着力の強い汚れであっても、容易に掻き出して被洗浄面から除去する事ができる。また、清掃具を前後、左右に移動させて当接させた場合においても、起毛ブラシが移動方向にたいして斜め方向に筋状に形成されている場合には、被洗浄面の清掃残りを発生させる事が無く、均一な被洗浄面を形成する事ができる。
【発明を実施するための最良の形態】
【００１２】
次に、本発明の実施形態を図面に基づいて説明する。図１は本発明の第１実施形態の清掃具の正面図である。図２は図１の清掃具を構成するアタッチメントの正面図である。図３は図２のＣ−Ｃ断面図である。図４は図１のＡ−Ａ断面図である。図５は図１のＢ−Ｂ断面図である。清掃具１は、袋状体３及びアタッチメント２から形成されてある。袋状体３の内部には、アタッチメント２が着脱可能に装着されてある。袋状体３は、指を入れる為の複数の指部３ｂ及び３ｈを有する概手袋状のカバー３ａが形成されてあり、カバー３ａの材質には、織布、不織布、編物等の布帛、各種メッシュ素材等、通水可能な材質が使用されてある。指部３ｂには起毛ブラシ３ｃが巻きつけて形成されてある。指部３ｈを含むカバー３ａの手の平側の表面には平板状の合成樹脂発泡体３ｅ、及び起毛ブラシ３ｄが形成されてあり、起毛ブラシ３ｄは合成樹脂発泡体３ｅが形成されてある範囲内に、筋状になるように配列されて形成されてある。また、アタッチメント２には洗浄水等を供給する為のホース状体２ｄが形成されてある。
【００１３】
また、アタッチメント２は、図２の如く、複数の指部２ｄを有する概手袋状のカバー２ａ、カバー２ａの内部に形成されてある基部２ｅ、及びホース状体２ｄから形成されてある。基部２ｅは、概手袋状に形成されてあり、カバー２ａの内壁面に密着、あるいは少なくとも一部分が接合されてある。ホース状体２ｄは概チューブ形状に形成されてあり、カバー２ａに連通するようにカバー２ａの手首側の端部に一端が固着されてある。カバー２ａ、基部２ｅあるいはホース状体２ｄの材質には、塩化ビニル、ポリプロピレン、ポリエステル等の各種樹脂フィルム状樹脂組成物、各種樹脂シート状物、軟質ゴム材、人工皮革、合成皮革等、防水性を有する材質が使用されてある。また、カバー２ａの表面には複数の通水穴２ｃが形成されてある。また、アタッチメント２は、図３の如く、ホース状体２ｄの一端部が、カバー２ａ、及び基部２ｅの端部に接着、溶着等にて固着されてある。なお、ホース状体２ｄの固着形態については、通水穴２ｃ以外から洗浄水１０等が外部に漏れ出ない形態であるならば、上記以外にも、ホース状体２ｄの一端部をカバー２ａのみの端部に固着する形態、ホース状体２ｄの一端部を基部２ｅのみの端部に固着する形態等を採用できる。
【００１４】
また、袋状体３を構成する指部３ｈを含むカバー３ａに形成されてある合成樹脂発泡体３ｅ、及び起毛ブラシ３ｄは、図４の如く、合成樹脂発泡体３ｅの形成範囲内に所定の段差２０を有して起毛ブラシ３ｄが形成されてある。起毛ブラシ３ｄは、概短冊状の基布３ｇにたいして多数本のブラシ片３ｆが密集して植設されてあり、合成樹脂発泡体３ｅ、及び起毛ブラシ３ｄは、カバー３ａにたいして接着、溶着、縫製等にて固着されてある。また、指部３ｂには起毛ブラシ３ｃが巻きつけてあり、図５の如く、所定の隙間３０を有して連続的に形成されてある。
【００１５】
次に、清掃具１の使用時の状態を説明する。清掃具１は、基部２ｅの内部に指を差し込んだ後、ホース状体２ｄの端部にホース等を連結して、洗浄水１０を清掃具１に流入させて使用する。図３の如く、ホース状体２ｄから清掃具１に流入した洗浄水１０は、カバー２ａの内壁面と基部２ｅの外壁面の間を通過してカバー２ａの表面に形成された複数の通水穴２ｃから流出する。通水穴２ｃから流出した洗浄水１０は、図４の如く、通水可能な材質からなるカバー３ａを通過して、合成樹脂発泡体３ｅ、及び起毛ブラシ３ｄの表面から外部に流出する。また、図５の如く、通水穴２ｃから流出した洗浄水１０は、通水可能な材質からなるカバー３ａを通過して、起毛ブラシ３ｃの隙間３０、あるいは起毛ブラシ３ｃの表面から外部に流出する。
【００１６】
清掃具１は、指部３ｂに巻きつけられた起毛ブラシ３ｃ、指部３ｈを含むカバー３ａに固着された合成樹脂発泡体３ｅ及び起毛ブラシ３ｄを、車体の被洗浄面に当接させて使用する。起毛ブラシ３ｃは、好適には、車体の継ぎ目、ワイパー等の車体の細かな凹凸部分、ホイール、タイヤ、フロントグリル等の車体の奥に入り込んだ窪みの部分にたいして、差し込むようにして当接させて使用する事により、付着した油分、塵埃、煤煙、土砂等の汚れが掻き出されるようにして除去される。また、同時に、洗浄水１０が、カバー３ａを通過して被洗浄面に供給される。その為、除去された汚れは、洗浄水１０により迅速、かつ的確に被洗浄面から除去される。
【００１７】
起毛ブラシ３ｃは、指部３ｂの外周部に螺旋状に巻き付けられてあると共に、図５の如く、所定の隙間３０を有して形成されてある。その為、隙間３０を有する概円柱形状に形成された起毛ブラシ３ｃが、被洗浄面に当接して、洗浄残し無く、被洗浄面から剥離されると共に、剥離された汚れは隙間３０を通して確実に被洗浄面から除去される。また、図４の如く、合成樹脂発泡体３ｅは、起毛ブラシ３ｄに比べて段差２０を有して高く形成されてあり、洗浄時に被洗浄面にたいして、清掃具１を、合成樹脂発泡体３ｅの表面のみが当接する程度の押し付け力にて当接させた後、さらに起毛ブラシ３ｄの毛先が当接するまでより強く押し付ける事により、合成樹脂発泡体３ｅ及び起毛ブラシ３ｄは被洗浄面に当接される。合成樹脂発泡体３ｅの表面のみが当接する程度の押し付け力にて当接させた場合においては、被洗浄面は傷が付く事が無く、細かな汚れまで確実に除去される。起毛ブラシ３ｄの毛先が当接するまでより強く押し付けて当接させた場合においては、被洗浄面は付着した油分、塵埃、煤煙、土砂等の汚れが掻き出されるようにして除去される。
【００１８】
また、起毛ブラシ３ｄは筋状に形成されてあり、被洗浄面上に当接させた清掃具１を移動させる方向を変える事により、筋状に形成された起毛ブラシ３ｄの被洗浄面にたいする押し付け力を容易に変化させる事ができる。例えば、起毛ブラシ３ｄを筋状と略平行な方向に押し付けて被洗浄面に当接させた場合には、起毛ブラシ３ｄを筋状と略直交の方向に押し付けて被洗浄面に当接させた場合に比べて、起毛ブラシ３ｄは毛腰がより強く押し付けられ、付着力の強い汚れは容易に掻き出されて被洗浄面から除去される。また、清掃具１を前後、左右に移動させて当接させた場合においても、起毛ブラシ３ｄが移動方向にたいして斜め方向に筋状に形成されている場合には、被洗浄面の清掃残りを発生させる事が無く、均一な被洗浄面を形成する事ができる。
【００１９】
本発明の清掃具１は、上記の如くの構成となっているので、洗浄時に、指部３ｂを車体のシャーシの継ぎ目、ワイパー等の車体の細かな凹凸部分、ホイール、タイヤ、フロントグリル等の被洗浄面の奥に入り込んだ窪みの部分にたいして、差し込むようにして当接させる事により、指部３ｂに巻きつけて形成されてある起毛ブラシ３ｃが、付着した油分、塵埃、煤煙、土砂等の汚れを掻き出すようにして除去することができる。また、指部３ｂに起毛ブラシ３ｃが巻きつけて形成されてある為、清掃時の指部３ｂの曲げ伸ばし等の操作が容易にできる。また、同時に、洗浄水１０が、清掃具１を構成するアタッチメント２に形成された通水穴２ｃを通して袋状体３から被洗浄面に供給される為、清掃具１を装着した片手のみにて、洗浄水１０を被洗浄面に供給する事ができると共に、汚れを、迅速、かつ的確に除去する事ができる。
【００２０】
また、清掃具１の指部３ｈを含む手の平側を被洗浄面に押し付けるようにして当接させる事により、合成樹脂発泡体３ｅ及び起毛ブラシ３ｄを被洗浄面に押し付ける事ができる。また、合成樹脂発泡体３ｅは被洗浄面を傷つける事無く、汚れを拭くようにして除去する事ができる。また、起毛ブラシ３ｄは付着力の強い汚れにたいしても掻き出すようにして除去する事ができる。また、清掃具１に装着した後、手の平を被洗浄面に軽く押し付けるようにして当接させる事により、合成樹脂発泡体３ｅを被洗浄面に押し付ける事ができると共に、被洗浄面を傷つける事が無く、汚れを拭くようにして除去する事ができる。また、手の平を被洗浄面に強く押し付けるようにして当接させる事により、合成樹脂発泡体３ｅ及び起毛ブラシ３ｄを被洗浄面に押し付ける事ができ、汚れの付着力が強い場合においても、汚れを掻き出すようにして除去する事ができる。
【００２１】
また、清掃具１は、合成樹脂発泡体３ｅの形成範囲内に形成された起毛ブラシ３ｄが汚れを掻き出すと共に、掻き出された汚れを合成樹脂発泡体３ｅにより拭くようにして被洗浄面から除去することができる。また、起毛ブラシ３ｄは筋状に形成されてある為、起毛ブラシ３ｄを筋状と略平行な方向に押し付けて被洗浄面に当接させた場合には、起毛ブラシ３ｄを筋状と略直交の方向に押し付けて被洗浄面に当接させた場合に比べて、起毛ブラシ３ｄは毛腰をより強く押し付ける事ができ、付着力の強い汚れであっても、容易に掻き出して被洗浄面から除去する事ができる。また、清掃具１を前後、左右に移動させて当接させた場合においても、起毛ブラシ３ｄが移動方向にたいして斜め方向に筋状に形成されている場合には、被洗浄面の清掃残りを発生させる事が無く、均一に汚れを除去する事ができる。
【００２２】
また、清掃具１は、ホース状体２ｄから流入した洗浄水１０が、カバー２ａの内壁面と基部２ｅの外壁面の間を通過してカバー２ａの表面に形成された複数の通水穴２ｃから流出し、通水穴２ｃから流出した洗浄水１０は、通水可能な材質からなるカバー３ａを通過して、合成樹脂発泡体３ｅ、及び起毛ブラシ３ｄの表面から外部に流出する事ができる。また、通水穴２ｃから流出した洗浄水１０は、通水可能な材質からなるカバー３ａを通過して、起毛ブラシ３ｃの隙間３０、あるいは起毛ブラシ３ｃの表面から外部に流出する事ができる。その為、指部３ｂに巻きつけられた起毛ブラシ３ｃ、指部３ｈを含むカバー３ａに固着された合成樹脂発泡体３ｅ及び起毛ブラシ３ｄを、車体の被洗浄面に当接させて汚れを除去する事ができると共に、同時に、洗浄水１０を、カバー３ａを通過して被洗浄面に供給する事ができる。その為、除去された汚れ、洗浄水１０により迅速、かつ的確に被洗浄面から除去する事ができる。
【００２３】
本発明の清掃具１は、上記の如くの構成となっているが、指部３ｂ、３ｈの形状、本数、起毛ブラシ３ｃ、合成樹脂発泡体３ｅ、起毛ブラシ３ｄ等の形態については、左右のいずれの手を装着した場合においても好適に使用できるように、例えば、略同形状の５本の指部３ｂを形成して起毛ブラシ３ｃを巻き付けると共に、指部３ｂの部分以外の手の平側の表面に平板状の合成樹脂発泡体３ｅ、及び起毛ブラシ３ｄを形成し、起毛ブラシ３ｄを合成樹脂発泡体３ｅの形成範囲内に筋状になるように配列する形態も設定できる。
【００２４】
また、起毛ブラシ３ｃの形成形態についても、指をより容易に曲げる事ができるようにする為に、例えば、指を曲げた時の関節部分にあたる起毛ブラシ３ｃを形成しないように、指部３ｂの外周部に断続的に巻きつけて形成する形態等、適時、設定できる。また、合成樹脂発泡体３ｅ、及び起毛ブラシ３ｄの形態についても、裏面に面ファスナーを有する基布の表面に、合成樹脂発泡体３ｅの形成範囲内に起毛ブラシ３ｄが筋状に配列するように合成樹脂発泡体３ｅ、及び起毛ブラシ３ｄを形成すると共に、カバー３ａの表面にも面ファスナーを形成する事により、合成樹脂発泡体３ｅ、及び起毛ブラシ３ｄを、カバー３ａにたいして面ファスナーにて、着脱可能にする形態も、適時、設定できる。
【００２５】
また、起毛ブラシ３ｄの形態についても、前記の第１実施形態に記載の如く、合成樹脂発泡体３ｅの形成範囲内に、長手方向にたいして複数のストレート形状の起毛ブラシ３ｄが筋状に形成されてある以外にも、筋状に形成されてある形態であるならば、例えば、起毛ブラシ３ｄの形状が概Ｖ字形状、概波形形状等、種々の形状を適時、設定できる。また、筋状以外の形態においても、例えば、起毛ブラシ３ｄの形状が丸形形状、三角形形状、四角形形状、星形形状、リング形形状等、種々の形状を適時、設定できる。また、アタッチメント２を構成するホース状体２ｄの固着箇所についても、上記の如く、ホース状体２ｄの一端部が、カバー２ａ、及び基部２ｅの端部に固着されてある形態以外にも、例えば、手の甲側のカバー２ａ、及び基部２ｅの間に固着させる形態等、適時、設定できる。
【００２６】
尚、本発明の趣旨を逸脱しない範囲において、種々の実施形態をとることができることは言うまでもない。
【産業上の利用可能性】
【００２７】
本発明の洗車用清掃具は、主に、自動車、車両等の外面の被洗浄面に付着した汚れ等を洗浄する為に使用する。
【図面の簡単な説明】
【００２８】
【図１】本発明の第１実施形態の清掃具の正面図
【図２】図１の清掃具を構成するアタッチメントの正面図
【図３】図２のＣ−Ｃ断面図
【図４】図１のＡ−Ａ断面図
【図５】図１のＢ−Ｂ断面図
【符号の説明】
【００２９】
１  清掃具
２  アタッチメント
２ａ、３ａ  カバー
２ｂ、３ｂ、３ｈ  指部
２ｃ  通水穴
２ｄ  ホース状体
２ｅ  基部
３  袋状体
３ｃ、３ｄ  起毛ブラシ
３ｅ  合成樹脂発泡体
３ｆ  ブラシ片
３ｇ  基布
４  止め板
１０  洗浄水
２０  段差
３０  隙間
【図１】
2008149874.tif 000003
【図２】
2008149874.tif 000004
【図３】
2008149874.tif 000005
【図４】
2008149874.tif 000006
【図５】
2008149874.tif 000007